(57)【要約】  容器内部でのショートの発生を防止できて、しかも加工の容易な角形非水電解液蓄電セル用極板を提供する。第１の辺３、第２の辺５、第３の辺７及び第４の辺９とを備えた角形非水電解液蓄電セル用極板１の少なくとも第１の角部１１及び第２の角部１３に、第１の湾曲部２１及び第２の湾曲部２３を形成する。第１の湾曲部２１は、第１の辺３と第１の湾曲部２１の接点２１Ａにおける第１の湾曲部２１の接線２２Ａが第１の延長線３′との間に、鋭角θ１１を形成するように形成している。また、第１の湾曲部２１は、第２の辺５と前記第１の湾曲部の接点２１Ｂにおける第１の湾曲部２１の接線２２Ｂが第２の延長線５′との間に、鋭角θ１２を形成するように形成している。第２の湾曲部２３も同様にして形成している。
2013141279.tif 000002
【特許請求の範囲】
【請求項１】
電池容器の底部側に位置する第１の辺と、該第１の辺の一端と第１の角部を介してつながる第２の辺と、前記第２の辺と対向し且つ前記第１の辺の他端と第２の角部を介してつながる第３の辺と、耳部を備えて前記第１の辺と対向する第４の辺とを備え、
前記第１の角部が、前記第１の辺の第１の延長線と前記第２の辺の第２の延長線とが交差する点に向かって凸となる第１の湾曲部により構成され、
前記第２の角部が、前記第１の延長線と前記第３の辺の第３の延長線とが交差する点に向かって凸となる第２の湾曲部により構成されている角形非水電解液蓄電セル用極板であって、
前記第１の湾曲部は、前記第１の辺と前記第１の湾曲部の接点における前記第１の湾曲部の接線が前記第１の延長線との間に０°より大きく４５°より小さい鋭角を形成するように形成され、且つ、前記第２の辺と前記第１の湾曲部の接点における前記第１の湾曲部の接線が前記第２の延長線との間に０°より大きく４５°より小さい鋭角を形成するように形成されており、
前記第２の湾曲部は、前記第１の辺と前記第２の湾曲部の接点における前記第２の湾曲部の接線が前記第１の延長線との間に０°より大きく４５°より小さい鋭角を形成するように形成され、且つ、前記第３の辺と前記第２の湾曲部の接点における前記第２の湾曲部の接線が前記第３の延長線との間に０°より大きく４５°より小さい鋭角を形成するように形成されており、
前記第４の辺の一端と前記第２の辺とが第３の角部を介してつながっており、前記第４の辺の他端と前記第３の辺とが第４の角部を介してつながっており、
前記第３の角部が、前記第４の辺の第４の延長線と前記第２の延長線とが交差する点に向かって凸となる第３の湾曲部により構成され、
前記第４の角部が、前記第４の延長線と前記第３の辺の第３の延長線とが交差する点に向かって凸となる第４の湾曲部により構成されており、
前記第３の湾曲部は、前記第４の辺と前記第３の湾曲部の接点における前記第３の湾曲部の接線が前記第４の延長線との間に０°より大きく４５°より小さい鋭角を形成するように形成され、且つ、前記第２の辺と前記第３の湾曲部の接点における前記第３の湾曲部の接線が前記第２の延長線との間に０°より大きく４５°より小さい鋭角を形成するように形成されており、
前記第４の湾曲部は、前記第４の辺と前記第４の湾曲部の接点における前記第４の湾曲部の接線が前記第４の延長線との間に０°より大きく４５°より小さい鋭角を形成するように形成され、且つ、前記第３の辺と前記第４の湾曲部の接点における前記第４の湾曲部の接線が前記第３の延長線との間に０°より大きく４５°より小さい鋭角を形成するように形成されており、
前記耳部の両側に位置する前記第４の辺の部分は、前記耳部から離れるに従って、前記第１の辺に近づくようにそれぞれ傾斜していることを特徴とする角形非水電解液蓄電セル用極板。
【請求項２】
電池容器の底部側に位置する第１の辺と、該第１の辺の一端と第１の角部を介してつながる第２の辺と、前記第２の辺と対向し且つ前記第１の辺の他端と第２の角部を介してつながる第３の辺と、耳部を備えて前記第１の辺と対向する第４の辺とを備え、
前記第１の角部が、前記第１の辺の第１の延長線と前記第２の辺の第２の延長線とが交差する点に向かって凸となる第１の湾曲部により構成され、
前記第２の角部が、前記第１の延長線と前記第３の辺の第３の延長線とが交差する点に向かって凸となる第２の湾曲部により構成されている角形非水電解液蓄電セル用極板であって、
前記第１の湾曲部は、前記第１の辺と前記第１の湾曲部の接点における前記第１の湾曲部の接線が前記第１の延長線との間に０°より大きく４５°より小さい鋭角を形成するように形成され、且つ、前記第２の辺と前記第１の湾曲部の接点における前記第１の湾曲部の接線が前記第２の延長線との間に０°より大きく４５°より小さい鋭角を形成するように形成されており、
前記第２の湾曲部は、前記第１の辺と前記第２の湾曲部の接点における前記第２の湾曲部の接線が前記第１の延長線との間に０°より大きく４５°より小さい鋭角を形成するように形成され、且つ、前記第３の辺と前記第２の湾曲部の接点における前記第２の湾曲部の接線が前記第３の延長線との間に０°より大きく４５°より小さい鋭角を形成するように形成されていることを特徴とする角形非水電解液蓄電セル用極板。
【請求項３】
前記第４の辺の一端と前記第２の辺とが第３の角部を介してつながっており、前記第４の辺の他端と前記第３の辺とが第４の角部を介してつながっており、
前記第３の角部が、前記第４の辺の第４の延長線と前記第２の延長線とが交差する点に向かって凸となる第３の湾曲部により構成され、
前記第４の角部が、前記第４の延長線と前記第３の辺の第３の延長線とが交差する点に向かって凸となる第４の湾曲部により構成されており、
前記第３の湾曲部は、前記第４の辺と前記第３の湾曲部の接点における前記第３の湾曲部の接線が前記第４の延長線との間に０°より大きく４５°より小さい鋭角を形成するように形成され、且つ、前記第２の辺と前記第３の湾曲部の接点における前記第３の湾曲部の接線が前記第２の延長線との間に０°より大きく４５°より小さい鋭角を形成するように形成されており、
前記第４の湾曲部は、前記第４の辺と前記第４の湾曲部の接点における前記第４の湾曲部の接線が前記第４の延長線との間に０°より大きく４５°より小さい鋭角を形成するように形成され、且つ、前記第３の辺と前記第４の湾曲部の接点における前記第４の湾曲部の接線が前記第３の延長線との間に０°より大きく４５°より小さい鋭角を形成するように形成されている請求項２に記載の角形非水電解液蓄電セル用極板。
【請求項４】
前記耳部の両側に位置する前記第４の辺の部分は、前記耳部から離れるに従って、前記第１の辺に近づくようにそれぞれ傾斜している請求項３に記載の角形非水電解液蓄電セル用極板。
【請求項５】
前記第４の辺の一端と前記第２の辺とが第３の角部によってつながっており、一辺が前記第３の辺と連続するように前記耳部が前記第４の辺に設けられており、
前記第３の角部が、前記第４の辺の第４の延長線と前記第２の延長線とが交差する点に向かって凸となる第３の湾曲部により構成され、
前記第３の湾曲部は、前記第４の辺と前記第３の湾曲部の接点における前記第３の湾曲部の接線が前記第４の延長線との間に０°より大きく４５°より小さい鋭角を形成するように形成され、且つ、前記第２の辺と前記第３の湾曲部の接点における前記第３の湾曲部の接線が前記第２の延長線との間に０°より大きく４５°より小さい鋭角を形成するように形成されている請求項２に記載の角形非水電解液蓄電セル用極板。
【請求項６】
前記第４の辺は、前記耳部から離れるに従って、前記第１の辺に近づくように傾斜している請求項５に記載の角形非水電解液蓄電セル用極板。
【請求項７】
前記鋭角が、２°より大きく１５°より小さい鋭角である請求項１乃至６のいずれか１項に記載の角形非水電解液蓄電セル用極板。
【請求項８】
前記鋭角が、１５°より大きく４０°より小さい鋭角である請求項１乃至６のいずれか１項に記載の角形非水電解液蓄電セル用極板。
【発明の詳細な説明】
【技術分野】
【０００１】
本発明は、角形非水電解液蓄電セル用極板に関するものである。
【背景技術】
【０００２】
角形非水電解液蓄電セルは、セパレータを介して、正極板と負極板を交互に積層することによって極板群を形成している。正極板及び負極板（以下、まとめて呼ぶ場合には「極板」とする。）は、耳部を備えた矩形状のものを用いることが一般的であるが、蓄電セルの角形容器に挿入する際に角部が折れて、内部ショートの発生要因となってしまうことがあった。そこで、特開平９−８２３６１号公報（特許文献１）のように、蓄電セル内部でのショートを防止する目的で、少なくとも角形容器に最初に挿入される側に位置する極板の両角部を円弧形状にしているものがある。
【先行技術文献】
【特許文献】
【０００３】
【特許文献１】特開平９−８２３６１号公報
【発明の概要】
【発明が解決しようとする課題】
【０００４】
しかしながら、極板の角部を特開平９−８２３６１号公報（特許文献１）に開示されている円弧形状に加工することは高い加工精度を必要とされる。なぜなら、特開平９−８２３６１号公報（特許文献１）の図４に示されているように角部を円弧にするためには、円弧形状の切断刃を用いて極板の角部を切断する必要があるが、切断の際にわずかでも切断刃がずれた状態のまま切断してしまうと、図１１に示すような小さな角部、いわゆる「バリ」となる角部が発生する。これは特開平９−８２３６１号公報（特許文献１）の図４に示す角部が、円弧の中心角が９０°となる円弧形状であるため、中心点Ｏから極板の一辺におろした垂線の交点における円弧の接線と極板の一辺が平行な（重なる）ためである。バリが存在する極板を用いると、バリがセパレータを貫通して隣接する極板と接触することにより直接短絡を発生させる可能性があるだけでなく、極板が正極板の場合には、短絡の発生原因となるデンドライトを生じさせる原因ともなる。【０００５】
本発明の目的は、容器内部でのショートの発生を防止できて、しかも加工の容易な角形非水電解液蓄電セル用極板を提供することにある。
【課題を解決するための手段】
【０００６】
本発明の角形非水電解液蓄電セル用極板は、電池容器の底部側に位置する辺を第１の辺、該第１の辺の一端と第１の角部を介してつながる辺を第２の辺、第２の辺と対向し且つ第１の辺の他端と第２の角部を介してつながる辺を第３の辺、耳部を備えて第１の辺と対向する辺を第４の辺とする。第１の角部は、第１の辺の第１の延長線と第２の辺の第２の延長線とが交差する点に向かって凸となる第１の湾曲部により構成され、第２の角部は、第１の延長線と第３の辺の第３の延長線とが交差する点に向かって凸となる第２の湾曲部により構成されている。そして、第１の湾曲部を、第１の辺と第１の湾曲部の接点における第１の湾曲部の接線が第１の延長線との間に０°より大きく４５°より小さい鋭角を形成するように形成し、且つ、第２の辺と第１の湾曲部の接点における第１の湾曲部の接線が第２の延長線との間に０°より大きく４５°より小さい鋭角を形成するように形成する。また、第２の湾曲部を、第１の辺と第２の湾曲部の接点における第２の湾曲部の接線が第１の延長線との間に０°より大きく４５°より小さい鋭角を形成するように形成し、且つ、第３の辺と第２の湾曲部の接点における第２の湾曲部の接線が第３の延長線との間に０°より大きく４５°より小さい鋭角を形成するように形成する。このような形状の第１及び第２の湾曲部を形成すると、切断刃もそれぞれの湾曲部に一致した形状を有することになり、角部を加工するための切断刃が所定の位置から少しずれたとしても、湾曲部と辺との境界部にバリとなるような小さな角部が発生する可能性がなくなる。したがって、本発明によれば、高い加工精度を必要とすることなく、極板の角部に湾曲部を容易に形成することができ、また、辺と湾曲部の接点に、蓄電セル内部でショートの原因となるような新たな角部を形成することがない、という効果がある。【０００７】
第４の辺の一端と第２の辺とが第３の角部を介してつながっており、第４の辺の他端と第３の辺とが第４の角部を介してつながっている場合には、第３の角部及び第４の角部も容器内部でのショートの原因となりえる。そこで、この場合には、第３の角部及び第４の角部にも湾曲部を形成することが好ましい。この場合において、第１及び第２の湾曲部と同様に、第３の角部は、第４の辺の第４の延長線と第２の延長線とが交差する点に向かって凸となる第３の湾曲部により構成し、第４の角部は、第４の延長線と第３の辺の第３の延長線とが交差する点に向かって凸となる第４の湾曲部により構成する。そして、第３の湾曲部を、第４の辺と第３の湾曲部の接点における第３の湾曲部の接線が第４の延長線との間に０°より大きく４５°より小さい鋭角を形成するように形成し、且つ、第２の辺と第３の湾曲部の接点における第３の湾曲部の接線が第２の延長線との間に０°より大きく４５°より小さい鋭角を形成するように形成する。また、第４の湾曲部も、第４の辺と第４の湾曲部の接点における第４の湾曲部の接線が第４の延長線との間に０°より大きく４５°より小さい鋭角を形成するように形成し、且つ、第３の辺と第４の湾曲部の接点における第４の湾曲部の接線が第３の延長線との間に０°より大きく４５°より小さい鋭角を形成するように形成する。【０００８】
第４の辺の一端と第２の辺とが第３の角部によってつながっており、耳部の一辺が第３の辺と連続するように耳部が第４の辺に設けられている場合も、同様に、第３の角部に湾曲部を形成することが好ましい。この場合に設ける第３の角部は、第４の辺の第４の延長線と第２の延長線とが交差する点に向かって凸となる第３の湾曲部により構成し、第３の湾曲部を、第４の辺と第３の湾曲部の接点における第３の湾曲部の接線が第４の延長線との間に０°より大きく４５°より小さい鋭角を形成するように形成し、且つ、第２の辺と第３の湾曲部の接点における第３の湾曲部の接線が第２の延長線との間に０°より大きく４５°より小さい鋭角を形成するように形成する。【０００９】
このように第３及び／または第４の角部を加工することにより、極板の角部の加工が容易になり、且つ、容器内部でのショートを防止することができる。【００１０】
なお、蓄電セルが放電する場合には、極板中を最短の導電路を通って耳部に電流が流れることが放電効率の向上に寄与することが知られている。したがって、耳部までの導電路の長さが長くならないようにすることが好ましい。そこで、第３の角部及び第４の角部がある場合には、耳部の両側に位置する第４の辺の部分を、耳部から離れるに従って、第１の辺に近づくようにそれぞれ傾斜する形状にすることが好ましい。また、耳部の一辺が第３の辺と連続するように耳部が第４の辺に設けられている場合には、第４の辺は、耳部から離れるに従って、第１の辺に近づくように傾斜するようにすればよい。このようにすることによって、極板の各部から電流はできるだけ短い導電路を通って耳部に到達することが可能になり、電流の放電効率を向上させることができる。【００１１】
なお、鋭角は、０°より大きく４５°より小さい鋭角にすれば本発明による効果を得られる。例えば、１５°より大きく４０°より小さい鋭角にすれば、角部を加工する際に用いる切断刃と辺とがずれた場合にも、極板の角部に湾曲部を形成しながら、接点部分において新たな角部を形成してしまうことがないため、実用的である。また、例えば２°より大きく１５°より小さい鋭角にすれば、極板の面積を広くすることができ、蓄電セルの性能を落とすことがないという効果もある。
【図面の簡単な説明】
【００１２】
【図１】本発明の角形非水電解液蓄電セル用極板の第１の実施の形態を示す図である。
【図２】図１の符号Ａを付した領域を拡大して示した概略拡大図である。
【図３】角部を切断するための切断刃の一例を示す図である。
【図４】（Ａ）は、本発明の第１の実施の形態の角形非水電解液蓄電セル用極板を備えた非水電解液電池としてのリチウムイオン二次電池の一部破断正面図であり、（Ｂ）は、左側面図であり、（Ｃ）は、右側面図である。
【図５】本発明の角形非水電解液蓄電セル用極板の第２の実施の形態を示す図である。
【図６】本発明の角形非水電解液蓄電セル用極板の第３の実施の形態を示す図である。
【図７】本発明の角形非水電解液蓄電セル用極板の第４の実施の形態を示す図である。
【図８】本発明の角形非水電解液蓄電セル用極板の第５の実施の形態を示す図である。
【図９】本発明の角形非水電解液蓄電セル用極板の第６の実施の形態を示す図であり、第１の実施の形態とは異なる形状の切断刃を用いて角部を切断した例を示す図である。
【図１０】第６の実施の形態で用いる切断刃の一例を示す図である。
【図１１】従来技術によって角形非水電解液蓄電セル用極板を加工した場合に発生する「バリ」の例を示す図である。
【発明を実施するための形態】
【００１３】
以下、図面を参照して、本発明の角形非水電解液蓄電セル用極板の実施の形態の一例について説明する。
【００１４】
［第１の実施の形態］
［角形非水電解液蓄電セル用極板］
図１は、非水電解液電池としてのリチウムイオン二次電池の正極板に本発明の角形非水電解液蓄電セル用極板を適用した実施の形態の正極板１の正面図である。本実施の形態の正極板１を使用するリチウムイオン電池では、負極板が正極板１より大きくなるため、極板の短絡の防止の目的であれば、負極板としては公知の極板を用いてもよい。そこで本実施の形態では、正極板１の形状についてのみ説明する。
【００１５】
正極板（角形非水電解液蓄電セル用極板）１は、第１の辺３、第２の辺５、第３の辺７及び第４の辺９を備え、集電板本体１０Ａと該集電板本体１０Ａと一体に設けられた集電用の耳部１０Ｂを備えたアルミニウム箔からなる正極集電板１０を備えている。正極集電板１０の上には活物質層２が形成された構造を有している。活物質層２は、集電板本体１０Ａの両面全体に形成されていてもよいが、第４の辺９に沿って活物質層２を形成しない領域を残すように活物質層２を形成してもよい。
【００１６】
図１の紙面に向かって下側に位置している辺が、後述の電池容器の底部側に位置する第１の辺３であり、第１の辺３の一端と第１の角部１１を介してつながっている辺が第２の辺５であり、第１の辺３の他端と第２の角部１３を介してつながっている辺が第３の辺７である。第１の辺３と対向し、第３の角部１５を介して第２の辺５と、第４の角部１７を介して第３の辺７とつながっている辺が第４の辺９である。第４の辺９には、耳部１０Ｂが備えられている。なお、本実施の形態では、耳部１０Ｂが第３の辺７と連続するように第４の辺９に設けられているため、第４の角部１７は角部として現れていない。
【００１７】
本実施の形態では、後述の電池容器に収納する際に、挿入する側になる第１の角部１１に第１の湾曲部２１が形成され、第２の角部１３に第２の湾曲部２３が形成されている。第１の湾曲部２１は、第１の辺の第１の延長線３′（第１の辺に沿って延びる仮想線）と第２の辺５の第２の延長線５′（第２の辺に沿って延びる仮想線）とが交差する点に向かって凸となるように形成されている。第２の湾曲部２３は、第１の辺３の第１の延長線３′（第１の辺に沿って延びる仮想線）と第３の辺の第３の延長線７′（第３の辺に沿って延びる仮想線）とが交差する点に向かって凸となる第２の湾曲部２３が形成されている。
【００１８】
図２は、図１において符号Ａを付した領域を拡大して示した図であり、主に第１の湾曲部２１の拡大図を示している。本実施の形態では、第１の湾曲部２１及び第２の湾曲部２３は同形状に加工してあるので、ここでは第１の湾曲部２１の構成についてのみ詳述し、第２の湾曲部２３についての説明は省略する。
【００１９】
第１の湾曲部２１は、第１の辺３と第１の湾曲部２１の接点２１Ａにおける第１の湾曲部２１の接線２２Ａが第１の延長線３′との間に、鋭角θ１１を形成するように形成されている。また、第１の湾曲部２１は、第２の辺５と第１の湾曲部の接点２１Ｂにおける第１の湾曲部２１の接線２２Ｂが第２の延長線５′との間に、鋭角θ１２を形成するように形成されている。角度θ１１、θ１２は、０°より大きく４５°より小さい角度であれば本発明による効果を得ることができる。また、角度θ１１、θ１２を互いに異なる角度にすることも可能である。特に、角度θ１１及びθ１２が、２°より大きく１５°以下の場合には、実用上の観点から見て、極板の面積を大幅に小さくすることなく、バリの発生を防止できる湾曲部を、簡単に得られることを確認している。そのため本実施の形態では、角度θ１１＝θ１２＝３°になるように形成している。
【００２０】
図３は、角部をプレス加工により切断する際に用いる切断刃２５の一例を示す図である。切断刃２５は、第１の湾曲部２１の輪郭と同じ形状の湾曲切断刃部２７を有しており、湾曲切断刃部２７の端部２７Ａからは接線２２Ａと同じ方向に延長切断刃部２９Ａが延びており、湾曲切断刃部２７の端部２７Ｂからは接線２２Ｂと同じ方向に延長切断刃部２９Ｂが延びている。なお角度θ１１及びθ１２が大きくなれば、いわゆる湾曲部の曲率半径が大きくなるため、延長切断刃部２９Ａ及び２９Ｂは、湾曲切断刃部２７をそのまま延長した形状にしてもよい。このような切断刃２５を用いると、切断時に極板と切断刃との間に多少の位置ずれがあっても、極板の湾曲部と辺との間に、従来のようにバリが発生することがない。
【００２１】
このような切断刃２５は、接点２１Ａ及び２１Ｂにおいて、第１の辺３及び第２の辺５と平行にならない形状になっており、また、接線２２Ａ，２２Ｂの方向に延びるか、接線から外側に離れる方向に延びる延長切断刃部２９Ａ，２９Ｂを有しているため、切断刃２５の位置が多少ずれた状態で切断したとしても、接点２１Ａ及び２１Ｂの位置がずれるのみであって、図１１に示すようなバリが発生しない。したがって、本実施の形態の極板形状であれば、角部の加工が容易であり、且つ、電池容器内部でのショートの発生を防止することができる角形非水電解液蓄電セル用極板を得ることができる。なお、第２の湾曲部２３を形成する切断刃も同様の構成をしており、切断刃２５により第２の角部１３を切断することにより、第２の湾曲部２３が形成される。
【００２２】
角形非水電解液蓄電セル用極板の第１の角部１１を切断する際には、未加工の第１の角部１１を有する角形非水電解液蓄電セル用極板を１枚ずつまたは複数枚重ねた状態で、切断刃２５の端部２７Ａを第１の辺３上の所定の位置に、端部２７Ｂを第２の辺５上の所定の位置に合わせてプレス加工により角部を切断すればよい。
【００２３】
［リチウムイオン二次電池の作製］
図４（Ａ）は、リチウムイオン二次電池３１の一部破断正面図であり、（Ｂ）は、左側面図であり、（Ｃ）は、右側面図である。なお、本実施の形態では、理解を容易にするため、一部の部品の厚み寸法を誇張して描いている。上述のように構成された角形非水電解液蓄電セル用極板となる正極板１と、角部に湾曲が形成されていない公知の形状の負極板３２を用いてリチウムイオン二次電池を作製した。なお負極板３２は、正極板１と完全に対向するように正極板１よりも大きく形成されている。本実施の形態のリチウムイオン二次電池３１は、極板群３３と、極板群３３を内部に収容するステンレス製の角型電池容器３５とを備えている。電池容器３５は、一方の端部が開口する電池缶３７と、電池蓋３９とを備えており、極板群３３を電池缶３７に挿入した後、電池缶３７の開口周縁部と、電池蓋３９の周縁部とを溶接することで密閉されている。
【００２４】
極板群３３は、耳部１０Ｂを備えた正極板１及び耳部３６を備えた負極板３２をセパレータ３４を介して複数枚積層して構成されている。
【００２５】
電池蓋３９には、アルミニウム製の正極端子４１及び銅製の負極端子４３が固定されている。正極端子４１及び負極端子４３は、電池容器３５の外部に突出するネジ部４１ａ及び４３ａをそれぞれ有している。正極端子４１及び負極端子４３と電池蓋３９の間には、円環状の内側パッキン４５がそれぞれ設けられている。電池蓋３９の外側には、電池蓋３９を介して内側パッキン４５と対向する位置に、円環状の外側パッキン４７と、平ワッシャ４９と、歯付きワッシャ５１とが重ねられた状態で設けられている。正極端子４１及び負極端子４３は、内側パッキン４５、外側パッキン４７、平ワッシャ４９及び歯付きワッシャ５１を介して、ネジ部の先端に設けられたナット５３より、電池蓋３９にそれぞれ固定されている。電池蓋３９の正極端子４１及び負極端子４３が設けられた部分は、内側パッキン４５及び外側パッキン４７により、電池容器３５内の密閉・封止状態を確保している。正極集電体耳部１０Ｂ及び負極集電体耳部３６は、それぞれ超音波溶接により、正極端子４１及び負極端子４３の下部に接合されており、正極板１は正極端子４１に、負極板３２は負極端子４３に導通されている。
【００２６】
電池蓋３９には、ステンレス箔を溶接したガス排出弁３９ａ及び注液口（図示せず）が配設されている。ガス排出弁３９ａは、電池内圧上昇時にステンレス箔が開裂して内部のガスを放出する機能を有している。注液口からは、エチレンカーボネートとジメチルカーボネートとの混合溶媒に４フッ化ホウ酸リチウム（ＬｉＢＦ４）を溶解した図示しない非水電解液が注入される。電解液注入後、液口栓により注液口は密閉されている。
【００２７】
本発明の形状を有する正極板１を用いることで、正極板１に発生したバリが原因となって発生する、内部ショートを防止することができる。
【００２８】
［第２の実施の形態］
図５は、本発明の角形非水電解液蓄電セル用極板の第２の実施の形態を示す図である。第２の実施の形態では、第１の角部１１１、第２の角部１１３に加えて、第３の角部１１５にも湾曲部である第３の湾曲部１５５が形成されている。図１乃至図４に示した実施の形態と同じ部材には、図１乃至図４に付した符号の数に１００の数を加えた数の符号を付して説明を省略する。
【００２９】
第３の角部１１５に第２の辺１０５の第２の延長線１０５′（第２の辺に沿って延びる仮想線）と第４の辺の第４の延長線１０９′（第４の辺に沿って延びる仮想線）とが交差する点に向かって凸となる第３の湾曲部１５５が形成されている。第３の湾曲部１５５は、第１の湾曲部１２１及び第２の湾曲部１２３と同じ形状になるように切断刃１２５で切断されて形成されている。このように加工することにより、電池内部におけるショートをより確実に防止することができる。
【００３０】
［第３の実施の形態］
図６は、本発明の角形非水電解液蓄電セル用極板の第３の実施の形態を示す図である。第３の実施の形態では、耳部２１０Ｂが第４の角部２１７から離れた第４の辺２０９の中央部付近に備えられている。そのため、第４の角部２１７が現れており、第４の角部２１７にも湾曲部である第４の湾曲部２５７が形成されている。図５に示した実施の形態と同じ部材には、図５に付した符号の数に１００の数を加えた数の符号を付して説明を省略する。
【００３１】
第４の角部２１７に第３の辺２０７の第３の延長線２０７′（第３の辺に沿って延びる仮想線）と第４の辺の第４の延長線２０９″（第４の辺に沿って延びる仮想線）とが交差する点に向かって凸となる第４の湾曲部２５７が形成されている。第４の湾曲部２５７は、第１の湾曲部２２１及び第２の湾曲部２２３と同じ形状になるように切断刃２２５で切断されて形成されている。このように加工することにより、耳部を備える位置によらず、電池内部におけるショートをより確実に防止することができる。
【００３２】
［第４の実施の形態］
図７は、本発明の角形非水電解液蓄電セル用極板の第４の実施の形態を示す図である。第４の実施の形態は、第４の辺３０９が傾斜していることと、それに伴い、第３の湾曲部３５５の形状が異なる以外は第２の実施の形態と共通している。図５に示した実施の形態と同じ部材には、図５に付した符号の数に２００の数を加えた数の符号を付して説明を省略する。
【００３３】
第４の辺３０９は、耳部３１０Ｂから離れるに従って、第１の辺３０３に近づくように傾斜している。このようにすることによって、極板の各部から電流はできるだけ短い導電路を通って耳部に到達することが可能になり、電流の放電効率を向上させることができる。また、第４の辺３０９が傾斜していることに伴って、第４の延長線３０９′も傾斜するため、第４の辺３０９と第３の湾曲部３５５の接点３５５Ａにおける第３の湾曲部３５５の接線が第４の延長線３０９′と形成する鋭角が３°になるように第３の湾曲部３５５が調整されている。したがって、本実施の態様では、第３の角部３１５を切断するための切断刃のみ異なる形状（第３の湾曲部３５５に合う形状）のものを用いている。
【００３４】
［第５の実施の形態］
図８は、本発明の角形非水電解液蓄電セル用極板の第５の実施の形態を示す図である。第５の実施の形態は、耳部の両側に位置する第４の辺４０９が傾斜していることと、それに伴い、第３の湾曲部４５５及び第４の湾曲部４５７の形状が異なる以外は第３の実施の形態と共通している。図６に示した実施の形態と同じ部材には、図６に付した符号の数に２００の数を加えた数の符号を付して説明を省略する。
【００３５】
第４の辺４０９は、耳部４１０Ｂの両側に位置しており、耳部４１０Ｂから離れるに従って、第１の辺４０３に近づくようにそれぞれ傾斜している。このようにすることによって、極板の各部から電流はできるだけ短い導電路を通って耳部に到達することが可能になり、電流の放電効率を向上させることができる。また、第４の辺４０９が傾斜していることに伴って、第４の延長線４０９′及び４０９″も傾斜するため、第４の辺４０９と第３の湾曲部４５５の接点４５５Ａにおける第３の湾曲部４５５の接線が第４の延長線４０９′と形成する鋭角が３°になるように第３の湾曲部４５５が調整されている。同様に、第４の辺４０９と第４の湾曲部４５７の接点４５７Ａにおける第４の湾曲部４５７の接線が第４の延長線４０９″と形成する鋭角が３°になるように第４の湾曲部４５７が調整されている。したがって、本実施の態様では、第１及び第２の角部を切断するための切断刃と、第３の角部４１５を切断するための切断刃及び第４の角部４１７を切断するための切断刃は異なる形状のものを用いている。
【００３６】
［第６の実施の形態］
図９は、第１の実施の形態とは異なる形状の切断刃を用いて角部を切断した例であり、図１０は、その際に用いる切断刃の例を示す図である。図１乃至図４に示した実施の形態と同じ部材には、図１乃至図４に付した符号の数に５００の数を加えた数の符号を付して説明を省略する。
【００３７】
図９は、図２の変形例であり、角度θ５１１、θ５１２を１５°より大きく４０°より小さくした場合の例である。図９では、角度θ５１１＝θ５１２＝２０°になるように第１の角部５１１を切断してある。この場合には、図３に示したような延長切断刃部を用いてしまうと、角部の切断時に切断刃がずれることによってバリが発生してしまう可能性がある。そのため、図１０に示したように、円弧形状の切断刃５２５を用いることができる。なお、円弧の中心角を９０°よりも大きくしてしまうと、切断刃５２５の端部が正極板５０１の角部以外の部分も切断してしまう可能性が高くなるため、切断刃５２５は、円弧の中心角を９０°よりも小さくしてある。したがって、仮想中心点５５９で交わる仮想線５６１と仮想線５６３がなす角度θｏは９０°よりも小さい。このように極板の角部を加工しても、切断刃５２５と辺とがずれた場合にも、極板の角部に湾曲部を形成しながら、接点部分において新たな角部を形成してしまうことがないため、実用的である。
【００３８】
上記第１の実施の形態乃至第５の実施の形態に準じて、切断刃５２５を用いて第１の角部の他、第２乃至第４の角部を切断してもよいのはもちろんである。
【００３９】
上記実施の形態では、リチウムイオン二次電池を例にしたが、これに限られるものではなく、本発明の角形非水電解液蓄電セル用極板は、他のタイプの二次電池や、リチウムイオンキャパシタなどのキャパシタにも応用することが可能である。
【産業上の利用可能性】
【００４０】
本発明によれば、切断刃もそれぞれの湾曲部に一致した形状を有することになり、角部を加工するための切断刃が所定の位置から少しずれたとしても、湾曲部と辺との境界部にバリとなるような小さな角部が発生する可能性がなくなる。したがって、本発明によれば、高い加工精度を必要とすることなく、極板の角部に湾曲部を容易に形成することができ、且つ、容器内部でのショートの発生を防止することができる。
【符号の説明】
【００４１】
１  正極板
２  活物質層
３  第１の辺
３′  第１の延長線
５  第２の辺
５′  第２の延長線
７  第３の辺
７′  第３の延長線
９  第４の辺
１０  正極集電板
１０Ａ  集電板本体
１０Ｂ  耳部（正極）
１１  第１の角部
１３  第２の角部
１５  第３の角部
１７  第４の角部
２１  第１の湾曲部
２１Ａ，２１Ｂ  接点
２２Ａ，２２Ｂ  接線
２３  第２の湾曲部
２５  切断刃
２７  湾曲切断刃部
２７Ａ，２７Ｂ  端部
２９Ａ，２９Ｂ  延長切断刃部
３１  リチウムイオン二次電池
３２  負極板
３３  極板群
３４  セパレータ
３５  角型電池容器
３６  耳部（負極）
３７  電池缶
３９  電池蓋
４１  正極端子
４３  負極端子
４５  内側パッキン
４７  外側パッキン
４９  平ワッシャ
５１  歯付きワッシャ
５３  ナット
【図１】
2013141279.tif 000003
【図２】
2013141279.tif 000004
【図３】
2013141279.tif 000005
【図４】
2013141279.tif 000006
【図５】
2013141279.tif 000007
【図６】
2013141279.tif 000008
【図７】
2013141279.tif 000009
【図８】
2013141279.tif 000010
【図９】
2013141279.tif 000011
【図１０】
2013141279.tif 000012
【図１１】
2013141279.tif 000013
【国際調査報告】
2013141279.tif 000014
2013141279.tif 000015